(57)【要約】　　　（修正有）【課題】分電盤に絶縁検出器を設置したとき警報を有人監視所に伝えるため、個別の伝送路を布設しこれを介し信号を伝送していた。その為、停電工事を伴う等、経済的負担が大きく電気管理者にとって分電盤での絶縁監視導入がなかなか出来なかった。【解決手段】分電盤８内のＤ種接地線１６と電路の接地相１５を利用して、この間に信号電圧を注入し受電室７でＢ種接地線３とＤ種接地線５との間の大地抵抗１７にこの信号電圧による電流を流し、Ｄ種接地線に挿入したキャリア（搬送波）送出用ＣＴ信号電流１２を検出するようにした。各分電盤から固有の信号を注入し、相互分電盤間での干渉及び流入をなくし、安全、簡単、信頼性に富んだ信号情報を送れるようにした。【選択図】　　図１
0003098716.tif 000002
【実用新案登録請求の範囲】
【請求項１】
高圧で受電し低圧側でＢ種接地を設けた電路において、分電盤に負荷側の絶縁を検出する装置を設け、分電盤内で電路の接地相とＤ種接地線との間は直列にコンデンサを含んだフィルタを接続し、装置動作時にはキャリア送出（もしくは搬送）ＣＴにより前記接地相とＤ種接地線間に搬送信号を乗せ、受電室のＤ種接地線ないしはＢ種接地線で当該分岐電路の絶縁状態が把握できるようにしたことを特徴とする警報信号伝送方式。
【請求項２】
前記方式において分電盤からの信号は周波数等を変えることにより識別検知させ、受電室のＢ種接地線もしくはＤ種接地線に搬送用ＣＴにより前記注入ＣＴとは異なる周波数を注入させることにより、常駐者のいる低圧電路に信号を送り、低圧電路のフィーダ管理を特別な配線を行うことなく監視できることを特徴とした警報信号搬送システム方式。
【考案の詳細な説明】
【０００１】
【考案の属する技術分野】
本考案は低圧電路の分電盤に設置した絶縁劣化警報信号等を受電室ないしは遠隔地に位置する監視所に伝達する方法に関する。
【０００２】
【従来の技術】
従来は受電室から監視所への信号伝達はＢ種接地線を利用しての方法は行われていたが、分電盤に設置された絶縁監視装置から受電室への伝送は個別の伝送路を布設しこれを介して信号を送信していた。又は電気設備管理者の巡視点検時に確認する方法等がとられていた。
【０００３】
【考案が解決しようとする課題】
しかしながら、上述の如き布設工事を伴う方法は経済的負担が大きいのみならず、布設時において活線工事では危険が伴い、停電での作業では時間的制約があった。巡視点検での管理では事故時の敏速な対応が出来ず問題が大きくなることがあった。
【０００４】
【問題を解決するための手段】
上記の課題を達成するため、キュービクル等受電室から分電盤内に配線されているＤ種接地線と電路の接地相間にコンデンサ又はコンデンサと直列にインピーダンスを接続させ、キャリア送出ＣＴを使用して前記接地線と接地相間に搬送信号を重畳させ、受電室のＢないしＤ種接地線で当該信号を検出できるようにしたことを特徴とするものである。
【０００５】
【実施例】
以下本考案の実施例について説明する。
図１は本考案の方式を標準的な低圧電路に設置したときの結線図である。
受電した高圧から低圧には動力用トランス１と電灯用トランス２により３相２００Ｖと単相３線式に分けられ分電盤に配線されている。受電室７ではＢ種接地線３で動力用トランス１の１線と電灯用トランス２の中性線が共通接地されている。アレスタ、高圧機器のケースアースはＡ種接地線４に接続されている。（図１では結線は省略）Ｄ種接地線５は電路には接続されず各分電盤８に配線され分電盤８筐体（フレーム）及び低圧機器のフレームアースに接続されている。ブレーカ６は受電室７の低圧分岐盤（低圧配電盤）に設置されている。受電室７の接地函Ｄ種接地線５には分電盤８からの信号を監視する搬送波吸上用ＣＴ１４が設置されている。受信器１３は検出ＣＴ１４の出力を検出しどの分電盤での異常かを判断している。このブレーカー６までが受電室７に設置されている。分電盤８では入口にＺＣＴ９を設置しこれ以降負荷電路及び機器の絶縁状態を監視している。分電盤８の内部では電路の接地相１５とＤ種接地線５の間にはコンデンサ１１を接続している。コンデンサ１１の値は負荷電流による接地相の電圧降下からコンデンサ１１を通り流れる漏れ電流が機器絶縁劣化の漏れ電流の検出レベルに対し影響のないような小さな容量のものを付けている。接地相（中性線接地相）１５とＤ種接地線５の間にはキャリア送出用ＣＴ１２を付け漏電検出器１０からの信号を受電室７のＤ種接地線５に絶縁劣化状態を監視するよう待機している。
【０００６】
分電盤８の負荷側で絶縁劣化により漏れ電流が発生するとＺＣＴ９で零相電流として検出し出力が発生する。この出力は検出・送信器１０に入力され、その大きさが設定値を超えた時、固有の警報信号を発生しキャリア送出ＣＴ１２に出力される。注入された信号電圧は分電盤８の動力用接地相１５を通り受電室７のＢ種接地線３を介し、大地抵抗１７を通りＤ種接地線５を通り分電盤８に戻る。受電室で設置されている監視する搬送波吸上用ＣＴ１４ではキャリア送出ＣＴ１２からの固有の信号を検出し分電盤８を識別する。分電盤の数が多いときは各分電盤のコンデンサ１１の容量とＢ種接地線３とＤ種接地線５における線経及び亘長によって決まる抵抗値との間の大地接地抵抗１７によりキャリア送出信号レベルが減衰する。加えて、接地線に各種負荷設備によって重畳されるノイズの影響もあり、信号の伝達が悪くなる。そこで各分電盤に設置するコンデンサ１１を適切に選定し各分電盤固有の周波数のみ通過させるフィルタとして最適条件回路を作成することにより信号の伝達は容易になる。
【０００７】
常駐者へは受信器のブザー音で信号の伝達を知ることができ、常駐者は受信器の表示等を見ることにより、どこの分電盤が絶縁劣化を起こしているかを知ることができる。
【考案の効果】
今まで分電盤からの信号の伝送は個別の電線路を布設する方法しかなかったが、本考案により低コストでしかも簡単に確実に伝送を行うことが出来るようになった為、分電盤単位での絶縁管理が行い易くなり、事故時の事故点探査が容易になり電気設備の保守管理業務が大幅に向上した。
【図面の簡単な説明】
【図１】図１は本考案の方式を標準的な低圧電路に接地した時のものである。
【符号の説明】
１　動力用トランス
２　電灯用トランス
３　Ｂ種接地線
４　Ａ種接地線
５　Ｄ種接地線
６　ブレーカー
７　受電室
８　分電盤
９　ＺＣＴ
１０　検出・送信器
１１　コンデンサ
１２　キャリア送出ＣＴ
１３　受信器
１４　搬送波吸上用ＣＴ
１５　分電盤側接地相
１６　分電盤側Ｄ種接地線
１７　Ｂ種Ｄ種接地線間大地抵抗
【図１】
0003098716.tif 000003
【手続補正書】
【提出日】平成15年4月8日(2003.4.8)
【手続補正１】
【補正対象書類名】明細書
【補正対象項目名】実用新案登録請求の範囲
【補正方法】変更
【補正の内容】
【実用新案登録請求の範囲】
【請求項１】
高圧で受電し低圧側でＢ種接地を設けた電路において、分電盤に負荷側の絶縁を検出する装置を設け、分電盤内で電路の接地相とＤ種接地線との間は直列にコンデンサを含んだフィルタを接続し、装置動作時にはキャリア送出ＣＴにより前記接地相とＤ種接地線間に搬送信号を乗せ、受電室のＤ種接地線ないしはＢ種接地線で当該分岐電路の絶縁状態が把握できるようにしたことを特徴とする警報信号伝送装置。
【請求項２】
前記方式において分電盤からの信号は周波数等を変えることにより識別検知させ、受電室のＢ種接地線もしくはＤ種接地線に搬送用ＣＴにより前記注入ＣＴとは異なる周波数を注入させることにより、常駐者のいる低圧電路に信号を送り、低圧電路のフィーダ管理を特別な配線を行うことなく監視できることを特徴とした警報信号搬送システム装置。
【手続補正書】
【提出日】平成15年7月11日(2003.7.11)
【手続補正１】
【補正対象書類名】明細書
【補正対象項目名】実用新案登録請求の範囲
【補正方法】変更
【補正の内容】
【実用新案登録請求の範囲】
【請求項１】
高圧で受電し低圧側でＢ種接地を設けた電路において、分電盤に負荷側の絶縁を検出する装置を設け、分電盤内で電路の接地相とＤ種接地線との間は直列にコンデンサを含んだフィルタを接続し、装置動作時にはキャリア送出ＣＴにより前記接地相とＤ種接地線間に搬送信号を乗せ、受電室のＤ種接地線ないしはＢ種接地線で当該分岐電路の絶縁状態が把握できるようにしたことを特徴とする警報信号伝送装置。
【請求項２】
請求項１に記載の警報信号搬送システム装置において分電盤からの信号は周波数等を変えることにより識別検知させ、受電室のＢ種接地線もしくはＤ種接地線に搬送用ＣＴにより前記注入ＣＴとは異なる周波数を注入させることにより、常駐者のいる低圧電路に信号を送り、低圧電路のフィーダ管理を特別な配線を行うことなく監視できることを特徴とした警報信号搬送システム装置。